(57)【特許請求の範囲】
【請求項１】
媒体アクセス制御ＭＡＣアドレス同期方法であって、
第１ＶＴＥＰが前記第１ＶＴＥＰの第１アグリゲーションポート及び第１ＩＰＰポートに設定された第１マッピング関係を第２ＶＴＥＰに通知することによって、前記第２ＶＴＥＰが前記第２ＶＴＥＰの第２アグリゲーションポート及び第２ＩＰＰポートに前記第１マッピング関係を設定することと、
前記第１ＶＴＥＰは前記第２ＶＴＥＰが前記第２ＶＴＥＰの第２ＩＰＰポートに前記第１マッピング関係を設定してから返した設定成功メッセージを受信することと、
前記第１ＶＴＥＰが前記第１ＩＰＰポートを介して、第１ポートを介して前記第１ＶＴＥＰにアクセスしているデバイスのＭＡＣアドレスである第１ＭＡＣアドレスを前記第２ＩＰＰポートに送信することと、を含み、
前記第１ＶＴＥＰ及び前記第２ＶＴＥＰが同じ分散型アグリゲーションシステムに属し、
前記第１マッピング関係が前記第１ＶＴＥＰにおける前記第１ポートの第１タグＩＤと第１ＶＸＬＡＮ  ＩＤとのマッピング関係を示し、
前記第２ＶＴＥＰの第２ポートの第２タグＩＤが前記第１タグＩＤと異なる媒体アクセス制御ＭＡＣアドレス同期方法。
【請求項２】
前記第１アグリゲーションポート及び前記第１ＩＰＰポートに前記第１マッピング関係が設定されていない場合、前記第１ＶＴＥＰが前記第１アグリゲーションポート及び前記第１ＩＰＰポートに前記第１マッピング関係を設定することを更に含む請求項１に記載の方法。
【請求項３】
前記第１アグリゲーションポート及び前記第１ＩＰＰポートに前記第１マッピング関係を設定することは、
前記第１アグリゲーションポートが前記第１タグＩＤ及び前記第１ＶＸＬＡＮ  ＩＤのうちの少なくとも１つに関連付けられていない場合、
前記第１ＶＴＥＰが前記第１アグリゲーションポートに前記第１マッピング関係を設定して、前記第１ＩＰＰポートに前記第１マッピング関係を設定することを含む請求項２に記載の方法。
【請求項４】
前記第１ＶＴＥＰが前記第２ＶＴＥＰから送信された、前記第２アグリゲーションポート及び前記第２ＩＰＰポートに設定された、前記第２タグＩＤと第２ＶＸＬＡＮ  ＩＤとのマッピング関係を示す第２マッピング関係を受信することと、
前記第１ＶＴＥＰが前記第１アグリゲーションポート及び前記第１ＩＰＰポートに前記第２マッピング関係を設定することと、
前記第１ＶＴＥＰが前記第１ＩＰＰポートに前記第２マッピング関係を設定したことを示す設定成功メッセージを前記第２ＶＴＥＰに送信することと、
前記第１ＶＴＥＰが前記第１ＩＰＰポートを介して、前記第２ポートを介して前記第２ＶＴＥＰにアクセスしたデバイスのＭＡＣアドレスである第２ＭＡＣアドレスを受信することと、を更に含む請求項１に記載の方法。
【請求項５】
前記第１ＶＴＥＰが前記第２ＭＡＣアドレスの転送エントリを生成し、前記転送エントリには前記第２ポートを介して前記第２ＶＴＥＰにアクセスしているデバイスのＭＡＣアドレス、タグＩＤ、ＶＸＬＡＮ  ＩＤ及びエグレスポートの対応関係が記録され、前記エグレスポートが前記タグＩＤと前記ＶＸＬＡＮ  ＩＤとのマッピング関係を設定したポートであることと、
前記第１ＶＴＥＰが前記第２ＭＡＣアドレスの転送エントリを検索することにより前記エグレスポートを前記第１ＩＰＰポートとして決定することと、
前記第１ＶＴＥＰは前記第１ＩＰＰポートを介して宛先ＭＡＣアドレスが前記第２ＭＡＣアドレスであるデータメッセージを前記第２ＶＴＥＰに送信することと、を更に含む請求項４に記載の方法。
【請求項６】
ＶＴＥＰであって、
プロセッサと、
機械実行可能命令が記憶されている機械可読記憶媒体と、を備え、前記機械実行可能命令を読み込んで実行することにより、前記プロセッサは、
前記ＶＴＥＰの第１アグリゲーションポート及び第１ＩＰＰポートに設定された第１マッピング関係を他のＶＴＥＰに通知することによって、前記他のＶＴＥＰが前記他のＶＴＥＰの第２アグリゲーションポート及び第２ＩＰＰポートに前記第１マッピング関係を設定し、
前記他のＶＴＥＰが前記第２ＩＰＰポートに前記第１マッピング関係を設定してから返した設定成功メッセージを受信し、
前記第１ＩＰＰポートを介して、第１ポートを介して前記ＶＴＥＰにアクセスしているデバイスのＭＡＣアドレスである第１ＭＡＣアドレスを前記第２ＩＰＰポートに送信し、
前記ＶＴＥＰ及び前記他のＶＴＥＰが同じ分散型アグリゲーションシステムに属し、
前記第１マッピング関係が前記ＶＴＥＰにおける前記第１ポートの第１タグＩＤと第１ＶＸＬＡＮ  ＩＤとのマッピング関係を示し、
前記他のＶＴＥＰの第２ポートの第２タグＩＤが前記第１タグＩＤと異なる仮想拡張ローカルエリアネットワークトンネルエンドポイントＶＴＥＰ。
【請求項７】
前記機械実行可能命令によって、前記プロセッサは、更に、
前記第１アグリゲーションポート及び前記第１ＩＰＰポートに前記第１マッピング関係が設定されていない場合、前記第１アグリゲーションポート及び前記第１ＩＰＰポートに前記第１マッピング関係を設定する請求項６に記載のＶＴＥＰ。
【請求項８】
前記第１アグリゲーションポート及び前記第１ＩＰＰポートに前記第１マッピング関係を設定するとき、前記機械実行可能命令によって、前記プロセッサは、更に、
前記第１アグリゲーションポートが前記第１タグＩＤ及び前記第１ＶＸＬＡＮ  ＩＤのうちの少なくとも１つに関連付けられていない場合、
前記第１アグリゲーションポートに前記第１マッピング関係を設定して、
前記第１ＩＰＰポートに前記第１マッピング関係を設定する請求項７に記載のＶＴＥＰ。
【請求項９】
前記機械実行可能命令によって、前記プロセッサは、更に、
前記他のＶＴＥＰから送信された、前記第２アグリゲーションポート及び前記第２ＩＰＰポートに設定された、前記第２タグＩＤと第２ＶＸＬＡＮ  ＩＤとのマッピング関係を示す第２マッピング関係を受信し、
前記第１アグリゲーションポート及び前記第１ＩＰＰポートに前記第２マッピング関係を設定し、
前記第１ＩＰＰポートに前記第２マッピング関係を設定したことを示す設定成功メッセージを前記他のＶＴＥＰに送信し、
前記第１ＩＰＰポートを介して、前記第２ポートを介して前記他のＶＴＥＰにアクセスしているデバイスのＭＡＣアドレスである第２ＭＡＣアドレスを受信する請求項６に記載のＶＴＥＰ。
【請求項１０】
前記機械実行可能命令によって、前記プロセッサは、更に、
前記第２ＭＡＣアドレスの転送エントリを生成し、前記転送エントリには前記第２ポートを介して前記他のＶＴＥＰにアクセスしているデバイスのＭＡＣアドレス、タグＩＤ、ＶＸＬＡＮ  ＩＤ及びエグレスポートの対応関係が記録され、前記エグレスポートが前記タグＩＤと前記ＶＸＬＡＮ  ＩＤとのマッピング関係を設定したポートであり、
前記第２ＭＡＣアドレスの転送エントリをクエリすることにより前記エグレスポートを前記第１ＩＰＰポートとして決定し、
前記第１ＩＰＰポートを介して、宛先ＭＡＣアドレスが前記第２ＭＡＣアドレスであるデータメッセージを前記他のＶＴＥＰに送信する請求項９に記載のＶＴＥＰ。
【請求項１１】
媒体アクセス制御ＭＡＣアドレス同期装置であって、
第１ＶＴＥＰの第１アグリゲーションポート及び第１ＩＰＰポートに設定された第１マッピング関係を第２ＶＴＥＰに通知することによって、前記第２ＶＴＥＰが前記第２ＶＴＥＰの第２アグリゲーションポート及び第２ＩＰＰポートに前記第１マッピング関係を設定する通知ユニットと、
前記第２ＶＴＥＰが前記第２ＩＰＰポートに前記通知ユニットの通知した前記第１マッピング関係を設定してから返した設定成功メッセージを受信するためのメッセージ受信ユニットと、
前記メッセージ受信ユニットが前記設定成功メッセージを受信した後、前記第１ＩＰＰポートを介して、第１ポートを介して前記第１ＶＴＥＰにアクセスしているデバイスのＭＡＣアドレスである第１ＭＡＣアドレスを前記第２ＩＰＰポートに送信するためのアドレス送信ユニットと、を備え、
前記第１ＶＴＥＰ及び前記第２ＶＴＥＰが同じ分散型アグリゲーションシステムに属し、
前記第１マッピング関係が前記第１ＶＴＥＰにおける前記第１ポートの第１タグＩＤと第１ＶＸＬＡＮの第１ＶＸＬＡＮ  ＩＤとのマッピング関係を示し、
前記第２ＶＴＥＰの第２ポートの第２タグＩＤが前記第１タグＩＤと異なる媒体アクセス制御ＭＡＣアドレス同期装置。
【請求項１２】
前記装置は、更に、
前記通知ユニットが前記第１ＶＴＥＰの第１アグリゲーションポート及び第１ＩＰＰポートに設定された前記第１マッピング関係を同じ分散型アグリゲーションシステムにおける前記第２ＶＴＥＰに通知する前に、前記第１アグリゲーションポート及び前記第１ＩＰＰポートに前記第１マッピング関係が設定されていない場合、前記第１アグリゲーションポート及び前記第１ＩＰＰポートに前記第１マッピング関係を設定するための第１設定ユニットを備える請求項１１に記載の装置。
【請求項１３】
前記第１設定ユニットは、具体的に、
前記第１アグリゲーションポートが前記第１タグＩＤ及び前記第１ＶＸＬＡＮ  ＩＤのうちの少なくとも１つに関連付けられていない場合、前記第１アグリゲーションポートに前記第１マッピング関係を設定して、前記第１ＩＰＰポートに前記第１マッピング関係を設定することに用いられる請求項１２に記載の装置。
【請求項１４】
前記装置は、更に、
前記第２ＶＴＥＰから送信された、前記第２アグリゲーションポート及び前記第２ＩＰＰポートに設定された、前記第２タグＩＤと第２ＶＸＬＡＮ  ＩＤとのマッピング関係を示す第２マッピング関係を受信するためのマッピング関係受信ユニットと、
前記第１アグリゲーションポート及び前記第１ＩＰＰポートに前記マッピング関係受信ユニットの受信した前記第２マッピング関係を設定するための第２設定ユニットと、
前記第２設定ユニットが前記第１ＩＰＰポートに前記第２マッピング関係を設定した場合、前記第２ＶＴＥＰへ設定成功メッセージを送信するためのメッセージ送信ユニットと、
前記メッセージ送信ユニットが設定成功メッセージを送信した後、前記第１ＩＰＰポートを介して、前記第２ポートを介して前記第２ＶＴＥＰにアクセスしたデバイスのＭＡＣアドレスである第２ＭＡＣアドレスを受信するためのアドレス受信ユニットと、を備える請求項１１に記載の装置。
【請求項１５】
前記装置は、更に、
前記第２ＭＡＣアドレスの転送エントリを生成することに用いられ、前記転送エントリには前記第２ポートを介して前記第２ＶＴＥＰにアクセスしているデバイスのＭＡＣアドレス、タグＩＤ、ＶＸＬＡＮ  ＩＤ及びエグレスポートの対応関係が記録され、前記エグレスポートが前記タグＩＤと前記ＶＸＬＡＮ  ＩＤとのマッピング関係を設定したポートである生成ユニットと、
前記第２ＭＡＣアドレスの転送エントリをクエリすることにより前記エグレスポートを前記第１ＩＰＰポートとして決定して、前記第１ＩＰＰポートを介して、宛先ＭＡＣアドレスが前記第２ＭＡＣアドレスであるデータメッセージを前記第２ＶＴＥＰに送信するためのメッセージ送信ユニットと、を備える請求項１４に記載の装置。 
【発明の詳細な説明】
【関連出願の相互参照】
【０００１】
本特許出願は、２０１７年３月２４日に提出された出願番号が２０１７１０１８４７４５．１であり、発明の名称が「ＭＡＣアドレス同期方法及び装置」である中国特許出願を優先権として主張し、該出願の全内容が本願の一部として援用される。
【背景技術】
【０００２】
イーサネット・バーチャル・プライベート・ネットワーク（ＥＶＰＮ：Ｅｔｈｅｒｎｅｔ  Ｖｉｒｔｕａｌ  Ｐｒｉｖａｔｅ  Ｎｅｔｗｏｒｋ）はレイヤー２バーチャル・プライベート・ネットワーク（ＶＰＮ）技術であり、制御プレーンではマルチプロトコル−ボーダーゲートウェイプロトコル（ＭＰ−ＢＧＰ）を用いてＥＶＰＮルーティング情報を通知し、データプレーンでは仮想拡張ローカルエリアネットワーク（ＶＸＬＡＮ）カプセル方式でメッセージを転送する。
【図面の簡単な説明】
【０００３】
【図１】図１は本開示の例示的な実施例における分散型アグリゲーションシステムにおける２つのＶＴＥＰの間でＭＡＣアドレス同期を行う過程の模式図である。
【図２】図２は本開示の例示的な実施例におけるＭＡＣアドレス同期方法のフローチャートである。
【図３】図３は本開示の他の例示的な実施例における他のＭＡＣアドレス同期方法のフローチャートである。
【図４】図４は本開示の例示的な実施例におけるデータメッセージ転送過程のフローチャートである。
【図５】図５は本開示のＭＡＣアドレス同期装置の位置するデバイスのハードウェア構造図である。
【図６】図６は本開示の例示的な実施例におけるＭＡＣアドレス同期装置のブロック図である。
【図７】図７は本開示の他の例示的な実施例におけるＭＡＣアドレス同期装置のブロック図である。
【図８】図８は本開示の他の例示的な実施例におけるＭＡＣアドレス同期装置のブロック図である。
【発明を実施するための形態】
【０００４】
ここで、例示的な実施例を詳しく説明し、その例を図面に示す。以下の説明は図面に関わるとき、特に断りがない限り、異なる図面における同じ数字が同様又は類似要素を示す。以下の例示的な実施例に説明される実施形態は本開示に一致するすべての実施形態を示すためのものではない。逆に、それらは添付の特許請求の範囲に詳しく説明された、本開示のいくつかの面に一致する装置及び方法の例に過ぎない。
【０００５】
本開示に使用される用語は特定の実施例を説明するためのものであって、本開示を制限するためのものではない。コンテクストに他の意味を明確に示さない限り、本開示及び添付の特許請求の範囲に使用される単数形式の「１種」「前記」及び「該」は更に多数形式を含むように意図される。本明細書に使用される用語「及び／又は」は１つ又は複数の関連付けられている列挙した項目を指すが、それらの任意又はすべての可能な組み合わせを含むと更に理解すべきである。
【０００６】
本開示では用語「第１」「第２」「第３」等で様々な情報を説明する可能性があるが、これらの情報はこれらの用語に限らないと理解すべきである。これらの用語は同じタイプの情報を区別するためのものである。例えば、本開示の範囲を逸脱せずに、第１情報が第２情報と称されてもよく、同様に、第２情報が第１情報と称されてもよい。コンテクストによって、ここで使用される用語「○○であれば」は「○○とき」又は「○○の場合」又は「決定に応答する」と解釈されてもよい。
【０００７】
図１には本開示の実施例に係る分散型アグリゲーションシステムのネットワーク模式図を示す。図１に示される分散型アグリゲーションシステムにおいて、カストマネットワークエッジデバイス（以下、ＣＥと略称される）１０７がＣＥ１０６へデータフローを転送する場合、ＣＥ１０７からのデータフローがＶＸＬＡＮトンネルエンドポイントデバイス（ＶＴＥＰ）１０１及びＶＴＥＰ１０２のうちのいずれか１つを介してＶＴＥＰ１０５に到達し、次にＣＥ１０６に転送される。ＶＴＥＰ１０１の物理ポート（ｐｏｒｔ）１にＣＥ１０３がマウントされ、ＶＴＥＰ１０２の物理ポート２にＣＥ１０４がマウントされる。図１に示されるＣＥ１０３、ＣＥ１０４、ＣＥ１０６、ＣＥ１０７は仮想マシン（ＶＭ）であってもよい。分散型アグリゲーションシステムにおいて、ＣＥ１０３及びＣＥ１０４が通信しようとする場合、この２つのＶＭがＶＴＥＰ１０１とＶＴＥＰ１０２との間に媒体アクセス制御（ＭＡＣ）アドレス同期を行わなければ、サービス通信が完了できない。
【０００８】
ＣＥ１０３のＭＡＣアドレスがＡ−Ａ−Ａであると仮定する場合、ＶＴＥＰ１０１とＶＴＥＰ１０２との間でＭＡＣアドレス同期を行う過程は、ＣＥ１０３とＶＴＥＰ１０１との間のリンク接続が成功した（ＵＰ）場合、ＣＥ１０３が無償のアドレス解決プロトコル（ＡＲＰ）メッセージを送信し、ＶＴＥＰ１０１がＣＥ１０３のＶＸＬＡＮ  ＭＡＣアドレス及び該ＭＡＣアドレスの転送エントリを学習し、該転送エントリにおけるエグレスポートがｐｏｒｔ１であることと、ＶＴＥＰ１０１がＶＸＬＡＮ  ＭＡＣアドレスを学習した後、ＭＬＡＧプロトコルによって該転送エントリをＶＴＥＰ１０２に同期し、ＶＴＥＰ１０２にＭＡＣアドレスＡ−Ａ−Ａの転送エントリを形成し、転送エントリにおけるエグレスポートがＶＴＥＰ１０２におけるインターネット印刷プロトコル（ＩＰＰ）ポートＩＰＰ２であることと、ＣＥ１０４が宛先ＭＡＣアドレスＡ−Ａ−Ａのデータフローを転送する必要がある場合、ＶＴＥＰ１０２がＶＸＬＡＮ  ＭＡＣ転送エントリをクエリし、まずＶＴＥＰ１０２のＩＰＰポートＩＰＰ２を介してデータフローをＶＴＥＰ１０１のＩＰＰポートＩＰＰ１に転送し、次にｐｏｒｔ１を介してＣＥ１０３に転送することと、を含む。
【０００９】
図１における２つのＶＴＥＰがＭＡＣアドレスの同期を果たせる理由は、ｐｏｒｔ１及びｐｏｒｔ２のタグ（ｔａｇ）識別子（ＩＤ）が同じであり、つまり、ｐｏｒｔ１に接続されるデバイス（例えば、ＣＥ１０３）及びｐｏｒｔ２に接続されるデバイス（例えば、ＣＥ１０４）が同じバーチャル・ローカル・エリア・ネットワーク（ＶＬＡＮ）に属し、２つのＶＴＥＰがＩＰＰポートを介して転送エントリを同期できるためである。もしそれらのｔａｇ識別子が異なり、例えば、ｐｏｒｔ１のｔａｇ  ＩＤが３、ｐｏｒｔ２のｔａｇ  ＩＤが４である場合、ｐｏｒｔ１に接続されるデバイス（例えば、ＣＥ１０３）及びｐｏｒｔ２に接続されるデバイス（例えば、ＣＥ１０４）が異なるＶＬＡＮに属し、この２つのＶＴＥＰがＩＰＰポートを介してＭＡＣアドレス同期を果たせない。
【００１０】
本開示に係る分散型リンクアグリゲーション（ＭＬＡＧ）システムにおいて、ポートｔａｇ識別子の異なるＶＴＥＰの間でＭＡＣアドレスを同期させるために、第１ＶＴＥＰはその第１アグリゲーションポート及び第１ＩＰＰポートに設定された、第１ＶＴＥＰにおけるデバイスにアクセスするための第１ポートの第１ｔａｇ識別子と第１ＶＸＬＡＮ識別子とのマッピング関係を示す第１マッピング関係を同じ分散型アグリゲーションシステムにおける第２ＶＴＥＰに通知することができる。このように、第２ＶＴＥＰは第２ＶＥＴＰの第２アグリゲーションポート及び第２ＩＰＰポートに該第１マッピング関係を設定することができる。従って、第１ＶＴＥＰは第２ＶＴＥＰから返した設定成功メッセージを受信した後、第１ＩＰＰポートを介して、第１ポートを介して第１ＶＴＥＰにアクセスしているデバイスの第１ＭＡＣアドレスを第２ＩＰＰポートに送信し、つまり、第１ＶＴＥＰと第２ＶＴＥＰとのＭＡＣアドレス同期を実現することができる。上記過程と同様に、第１ＶＴＥＰは第２ＶＴＥＰから送信された、第２ＶＴＥＰにおけるデバイスにアクセスするための第２ポートに対応する第２ｔａｇ識別子と第２ＶＸＬＡＮ識別子とのマッピング関係を示す第２マッピング関係を受信することができる。次に、第１ＶＴＥＰは第１アグリゲーションポート及び第１ＩＰＰポートに該第２マッピング関係を設定することができ、それにより第１ＩＰＰポートを介して、第２ポートを介して第２ＶＴＥＰにアクセスしているデバイスの第２ＭＡＣアドレスを受信し、つまり、第２ＶＴＥＰと第１ＶＴＥＰとのＭＡＣアドレス同期を実現することができる。本開示の実施例では、第１ＩＰＰポート及び第２ＩＰＰポートに同じマッピング関係を設定する（例えば、第１ＩＰＰポート及び第２ＩＰＰポートのいずれもに第１マッピング関係又は第２マッピング関係を設定する）ことにより、異なるｔａｇを同じＶＸＬＡＮにマッピングすることができ、それにより第１ＩＰＰポート及び第２ＩＰＰポートを介して異なるＶＴＥＰの双方向ＭＡＣアドレス同期を実現することができる。以下、具体的な実施例によって上記方法の実現過程を詳しく説明する。
【００１１】
図２は本開示の例示的な実施例におけるＭＡＣアドレス同期方法のフローチャートであり、該実施例は第１ＶＴＥＰに適用され、図２に示すように、該ＭＡＣアドレス同期方法は以下を含む。
【００１２】
ステップＳ２０１：第１ＶＴＥＰの第１アグリゲーションポート及び第１ＩＰＰポートに設定された第１マッピング関係を同じ分散型アグリゲーションシステムにおける第２ＶＴＥＰに通知することによって、第２ＶＴＥＰが第２ＶＥＴＰの第２アグリゲーションポート及び第２ＩＰＰポートに第１マッピング関係を設定する。
【００１３】
第１マッピング関係が第１ポートの第１ｔａｇ識別子と第１ＶＸＬＡＮ識別子とのマッピング関係を示す。第１ポートが第１ＶＴＥＰにおけるデバイスにアクセスするためのポートであり、第２ＶＴＥＰにおけるデバイスにアクセスするための第２ポートの第２ｔａｇ識別子が第１ポートの第１ｔａｇ識別子と異なる。
【００１４】
再び図１に示されるネットワークを例として説明する。ただし、図１に示されるネットワークは一例に過ぎず、該同期方法は他のネットワーク構造の分散型アグリゲーションシステムにも適用される。
【００１５】
図１に示すように、ＶＴＥＰ１０１におけるデバイスにアクセスするためのポートがｐｏｒｔ１であり、ＶＴＥＰ１０１がアグリゲーションポートＡＧＧ１を有し、ＶＴＥＰ１０２におけるデバイスにアクセスするためのポートがｐｏｒｔ２であり、ＶＴＥＰ１０２がアグリゲーションポートＡＧＧ２を有し、ｐｏｒｔ１のｔａｇ識別子が３であり、ｐｏｒｔ２のｔａｇ識別子が４である。第１ＶＴＥＰがＶＴＥＰ１０１、第２ＶＴＥＰがＶＴＥＰ１０２である場合を例として説明すれば、ｐｏｒｔ１が第１ポート、第１ｔａｇ識別子が３、ｐｏｒｔ２が第２ポート、第２ｔａｇ識別子が４、ＡＧＧ１が第１アグリゲーションポート、ＡＧＧ２が第２アグリゲーションポート、ＶＴＥＰ１０１をＶＴＥＰ１０２に接続するＩＰＰポートすなわちＩＰＰ１が第１ＩＰＰポート、ＶＴＥＰ１０２をＶＴＥＰ１０１に接続するＩＰＰポートすなわちＩＰＰ２が第２ＩＰＰポートである。第１所定のＶＸＬＡＮ識別子が１０であると仮定する場合、ＶＴＥＰ１０１はＭＬＡＧプロトコルによってＡＧＧ１及びＩＰＰ１に設定された第１ｔａｇ識別子３と第１所定のＶＸＬＡＮ識別子１０とのマッピング関係をＶＴＥＰ１０２に通知することができ、ＶＴＥＰ１０２が第１ｔａｇ識別子３と第１ＶＸＬＡＮ識別子１０とのマッピング関係を受信した後、ＡＧＧ２及びＩＰＰ２に第１ｔａｇ識別子３と第１所定のＶＸＬＡＮ識別子１０とのマッピング関係を設定する。ただし、第２ＶＴＥＰが複数のＶＴＥＰであってもよく、該実施例では、ＶＴＥＰ１０２を例として説明する。
【００１６】
また、第１ＶＴＥＰが第１ポートの第１ｔａｇ識別子と第１所定のＶＸＬＡＮ識別子との第１マッピング関係を同じ分散型アグリゲーションシステムにおける第２ＶＴＥＰに通知する前に、第１アグリゲーションポート及び第１ＩＰＰポートに第１マッピング関係が設定されていないと検出する場合、第１アグリゲーションポート及び第１ＩＰＰポートに第１マッピング関係を設定する。
【００１７】
第１アグリゲーションポート及び第１ＩＰＰポートに第１マッピング関係を設定することは、
【００１８】
第１アグリゲーションポートが第１ｔａｇ識別子に関連付けられていない場合、第１アグリゲーションポートに第１ｔａｇ識別子と第１ＶＸＬＡＮ識別子との第１マッピング関係を設定して、第１ＩＰＰポートに該第１マッピング関係を設定する状況（１）と、
【００１９】
第１アグリゲーションポートが第１所定のＶＸＬＡＮ識別子に関連付けられていない場合、第１アグリゲーションポートに第１ｔａｇ識別子と第１ＶＸＬＡＮ識別子との第１マッピング関係を設定して、第１ＩＰＰポートに該第１マッピング関係を設定する状況（２）と、
【００２０】
第１アグリゲーションポートが第１ｔａｇ識別子及び第１所定のＶＸＬＡＮ識別子に関連付けられていない場合、第１アグリゲーションポートに第１ｔａｇ識別子と第１ＶＸＬＡＮ識別子との第１マッピング関係を設定して、第１ＩＰＰポートに該第１マッピング関係を設定する状況（３）と、を含んでもよい。
【００２１】
ステップＳ２０２：第２ＶＴＥＰが第２ＩＰＰポートに第１マッピング関係を設定してから返した設定成功メッセージを受信する。
【００２２】
該実施例では、第２ＶＴＥＰは第２ＩＰＰポートに第１マッピング関係を設定した後、第１ＶＴＥＰへ設定成功メッセージを返すことができる。
【００２３】
ステップＳ２０３：第１ＩＰＰポートを介して、第１ポートを介して第１ＶＴＥＰにアクセスしているデバイスのＭＡＣアドレスである第１ＭＡＣアドレスを第２ＩＰＰポートに送信する。
【００２４】
該実施例では、第１ＩＰＰポート及び第２ＩＰＰポートのいずれもには第１マッピング関係が設定されるため、第１ＶＴＥＰは第１ＩＰＰポートを介して、第１ポートを介して第１ＶＴＥＰにアクセスしているデバイスのＭＡＣアドレスである第１ＭＡＣアドレスを第２ＩＰＰポートに送信することができる。
【００２５】
例えば、ＶＴＥＰ１０１のＩＰＰ１及びＶＴＥＰ１０２のＩＰＰ２のいずれもに第１ｔａｇ識別子３と第１ＶＸＬＡＮ識別子１０とのマッピング関係が設定されるため、ＶＴＥＰ１０１はＩＰＰ１によってｐｏｒｔ１を介してＶＴＥＰ１０１にアクセスしているデバイス、つまり、図１におけるＣＥ１０３のＭＡＣアドレスをＶＴＥＰ１０２に送信することができ、ＶＴＥＰ１０２はＩＰＰ２によってＣＥ１０３のＭＡＣアドレスを受信することができる。
【００２６】
上記実施例では、第１ＶＴＥＰの第１アグリゲーションポート及び第１インターネット印刷プロトコルＩＰＰポートに設定された、第１ポートの第１ｔａｇ識別子と第１ＶＸＬＡＮ識別子との第１マッピング関係を同じ分散型アグリゲーションシステムにおける第２ＶＴＥＰに通知することができ、そして、第２ＶＴＥＰは第２ＶＥＴＰの第２アグリゲーションポート及び第２ＩＰＰポートに第１マッピング関係を設定し、つまり、第１ＩＰＰポート及び第２ＩＰＰポートに同じマッピング関係を設定することができ、そして、第１ＶＴＥＰは第１ＩＰＰポートを介して、第１ポートを介して第１ＶＴＥＰにアクセスしているデバイスのＭＡＣアドレスである第１ＭＡＣアドレスを第２ＩＰＰポートに送信することができ、それにより第１ＶＴＥＰと第２ＶＴＥＰとのＭＡＣアドレス同期を実現する。
【００２７】
図３は本開示の例示的な実施例における他のＭＡＣアドレス同期方法のフローチャートであり、図３に示すように、図２に示される方法実施例によれば、該ＭＡＣアドレス同期方法は更に以下を含んでもよい。
【００２８】
ステップＳ３０１：第２ＶＴＥＰから送信された、第２アグリゲーションポート及び第２ＩＰＰポートに設定された、第２ＶＴＥＰにおける第２ポートの第２ｔａｇ識別子と第２ＶＸＬＡＮ識別子とのマッピング関係を示す第２マッピング関係を受信する。
【００２９】
第１ＶＴＥＰは第１アグリゲーションポート及び第１ＩＰＰポートに設定された第１マッピング関係を同じ分散型アグリゲーションシステムにおける第２ＶＴＥＰに通知することができる他、第２ＶＴＥＰから送信された第２ｔａｇ識別子と第２ＶＸＬＡＮ識別子との第２マッピング関係を受信することもできる。該第２マッピング関係は、第２ＶＴＥＰが第２アグリゲーションポート及び第２ＩＰＰポートに第２マッピング関係を設定した後に第１ＶＴＥＰへ送信される。
【００３０】
図１を例として説明し続ける。第２ＶＸＬＡＮ識別子が２０であると仮定する場合、ＶＴＥＰ１０２はＡＧＧ２及びＩＰＰ２に第２ｔａｇ識別子４と第２ＶＸＬＡＮ識別子２０とのマッピング関係を設定した後、ＭＬＡＧプロトコルによってＶＴＥＰ１０１へ第２ｔａｇ識別子４と第２ＶＸＬＡＮ識別子２０とのマッピング関係を送信することができる。
【００３１】
ステップＳ３０２：第１アグリゲーションポート及び第１ＩＰＰポートに第２マッピング関係を設定する。
【００３２】
ＶＴＥＰ１０１はＶＴＥＰ１０２から送信された第２ｔａｇ識別子４と第２ＶＸＬＡＮ識別子２０とのマッピング関係を受信した後、ＡＧＧ１及びＩＰＰ１に第２ｔａｇ識別子４と第２ＶＸＬＡＮ識別子２０とのマッピング関係を設定することができる。
【００３３】
ステップＳ３０３：第１ＩＰＰポートに第２マッピング関係を設定した場合、第２ＶＴＥＰへ設定成功メッセージを送信する。
【００３４】
ＶＴＥＰ１０１はＩＰＰ１に第２ｔａｇ識別子４と第２ＶＸＬＡＮ識別子２０とのマッピング関係を設定した後、ＶＴＥＰ１０２へ設定成功メッセージを送信することができる。このように、ＶＴＥＰ１０２はＩＰＰ２によってｐｏｒｔ２を介してＶＴＥＰ１０２にアクセスしているデバイスすなわち図１におけるＣＥ１０４のＭＡＣアドレスをＶＴＥＰ１０１に送信することができる。
【００３５】
ステップＳ３０４：第１ＩＰＰポートを介して、第２ポートを介して第２ＶＴＥＰにアクセスしているデバイスのＭＡＣアドレスである第２ＭＡＣアドレスを受信する。
【００３６】
ＶＴＥＰ１０２がＩＰＰ２によってＶＴＥＰ１０１へＣＥ１０４のＭＡＣアドレスを送信した後、ＶＴＥＰ１０１はＩＰＰ１によってＣＥ１０４のＭＡＣアドレスを受信することができる。
【００３７】
上記実施例では、第１ＶＴＥＰは第２ＶＴＥＰが第２アグリゲーションポート及び第２ＩＰＰポートに第２ｔａｇ識別子と第２ＶＸＬＡＮ識別子との第２マッピング関係を設定してから送信した該第２マッピング関係を受信する。第１ＶＴＥＰが第１アグリゲーションポート及び第１ＩＰＰポートに該第２マッピング関係を設定する。次に、第１ＶＴＥＰが第２マッピング関係を設定した第１ＩＰＰポートを介して第２ＭＡＣアドレスを受信する。これにより、第２ＶＴＥＰと第１ＶＴＥＰとのＭＡＣアドレス同期を実現する。
【００３８】
図４は本開示の例示的な実施例におけるデータメッセージ転送過程のフローチャートであり、図４に示すように、上記ステップＳ３０４の後で、該過程は更に以下を含んでもよい。
【００３９】
ステップＳ４０１：第２ＭＡＣアドレスの転送エントリを生成し、該転送エントリには前記第２ポートを介して前記第２ＶＴＥＰにアクセスしているデバイスのＭＡＣアドレス、タグＩＤ、ＶＸＬＡＮ  ＩＤ及びエグレスポートの対応関係が記録され、前記エグレスポートが前記タグＩＤと前記ＶＬＡＮ  ＩＤとのマッピング関係を設定したポートである。ここで、該エグレスポートが第１ＩＰＰポートである。
【００４０】
図１を例として説明し続ける。ＣＥ１０４のＭＡＣアドレスが２−２−２であると仮定する場合、ＣＥ１０４とＶＴＥＰ１０２との間のリンク接続が成功したと、ＣＥ１０４が無償のＡＲＰメッセージを送信し、ＶＴＥＰ１０２がＣＥ１０４のＶＸＬＡＮ  ＭＡＣアドレス及び該ＶＸＬＡＮ  ＭＡＣアドレスの転送エントリにおけるエグレスポートがｐｏｒｔ２であることを学習し、ＶＴＥＰ１０２がＶＸＬＡＮ  ＭＡＣアドレスを学習した後、ＩＰＰ２によって該転送エントリをＶＴＥＰ１０１に同期し、ＶＴＥＰ１０１がＩＰＰ１によって該転送エントリを受信し、ＶＴＥＰ１０１にＭＡＣアドレス２−２−２の転送エントリを形成し、該転送エントリにおけるエグレスポートがＩＰＰ１である。
【００４１】
ステップＳ４０２：第１ＩＰＰポートを介して、宛先ＭＡＣアドレスが第２ＭＡＣアドレスであるデータメッセージを第２ＶＴＥＰに送信する。
【００４２】
ＶＴＥＰ１０１は宛先ＭＡＣアドレスが２−２−２であるデータメッセージを受信した場合、ＩＰＰ１によってＶＴＥＰ１０２へデータメッセージを転送する。その後、ＶＴＥＰ１０２がｐｏｒｔ２を介してＣＥ１０４へデータメッセージを転送し、ここまで、第１ＶＴＥＰから第２ＶＴＥＰへデータメッセージを送信することを実現でき、つまり、異なるＶＬＡＮに位置するデバイス同士が通信できる。
【００４３】
同様に、第２ＶＴＥＰから第１ＶＴＥＰへデータメッセージを送信することも実現できる。ＣＥ１０３のＭＡＣアドレスが１−１−１であると仮定する場合、ＣＥ１０３とＶＴＥＰ１０１とのリンク接続が成功したと、ＣＥ１０３が無償のＡＲＰメッセージを送信し、ＶＴＥＰ１０１がＣＥ１０３のＶＸＬＡＮ  ＭＡＣアドレス及び該ＭＡＣアドレスの転送エントリのエグレスポートがｐｏｒｔ１であることを学習し、ＶＴＥＰ１０１がＶＸＬＡＮ  ＭＡＣアドレスを学習した後、ＩＰＰ１によって該ＶＸＬＡＮ  ＭＡＣアドレスの転送エントリをＶＴＥＰ１０２に同期し、ＶＴＥＰ１０２がＩＰＰ２によって該転送エントリを受信し、ＶＴＥＰ１０２にＭＡＣアドレス１−１−１の転送エントリを形成し、該転送エントリにおけるエグレスポートがＩＰＰ２である。
【００４４】
上記実施例では、ＭＡＣアドレス転送エントリに基づいてＶＬＡＮデバイス間のデータメッセージ転送を実現することができる。
【００４５】
上記ＭＡＣアドレス同期方法の実施例に対応して、本開示は更にＭＡＣアドレス同期装置の実施例を提供する。
【００４６】
本開示のＭＡＣアドレス同期装置の実施例はＶＴＥＰデバイスに適用されてもよい。装置実施例はソフトウェアで実現されてもよいし、ハードウェア又はソフトウェア及びハードウェアの組み合わせで実現されてもよい。装置実施例はソフトウェアで実現される場合を例とすれば、論理的装置として、その位置するＶＴＥＰデバイスのプロセッサによって不揮発性記憶媒体における対応する機械実行可能命令をメモリに読み込んで実行してなるものである。
【００４７】
図５は本開示のＭＡＣアドレス同期装置５００の位置するＶＴＥＰデバイスのハードウェア構造図である。ハードウェアの面から言えば、該ＭＡＣアドレス同期装置５００はプロセッサ５１０、メモリ５２０、ネットワークインターフェース５３０及び機械実行可能命令が記憶される機械可読記憶媒体５４０を備える。プロセッサ５１０、メモリ５２０、ネットワークインターフェース５３０及び機械可読記憶媒体５４０はシステムバス５５０によって通信することができる。機械可読記憶媒体５４０における機械実行可能命令をメモリ５２０に読み込んで実行することにより、プロセッサ５１０は以上に説明されるＭＡＣアドレス同期方法を実行することができる。
【００４８】
本明細書に言及した機械可読記憶媒体５４０は情報、例えば実行可能命令、データ等の情報を包含又は記憶できるいかなる電子、磁気、光又は他の物理記憶装置であってもよい。例えば、機械可読記憶媒体はＲＡＭ（Ｒａｄｏｍ  Ａｃｃｅｓｓ  Ｍｅｍｏｒｙ、ランダムアクセスメモリ）、揮発性メモリ、不揮発性メモリ、フラッシュメモリ、記憶ドライブ（例えば、ハードディスクドライブ）、ソリッドステートドライブ、いかなるタイプのメモリディスク、又は上記１つ又は複数の組み合わせであってもよい。
【００４９】
図５に示される各部材以外に、実施例における装置の位置するＶＴＥＰデバイスは一般的にその実際の機能によって更に他のハードウェアを備えてもよく、ここで詳細な説明は省略する。
【００５０】
一例では、プロセッサ５１０は機械可読記憶媒体５４０における機械実行可能命令をメモリ５２０に読み込んで前記機械実行可能命令を実行することにより、
ＶＴＥＰの第１アグリゲーションポート及び第１インターネット印刷プロトコルＩＰＰポートに設定された前記第１マッピング関係を他のＶＴＥＰに通知することによって、他のＶＴＥＰが前記他のＶＥＴＰの第２アグリゲーションポート及び第２ＩＰＰポートに第１マッピング関係を設定し、
前記他のＶＴＥＰが前記第２ＩＰＰポートに前記第１マッピング関係を設定してから返した設定成功メッセージを受信し、
前記第１ＩＰＰポートを介して、前記第１ポートを介して前記ＶＴＥＰにアクセスしているデバイスのＭＡＣアドレスである第１ＭＡＣアドレスを前記第２ＩＰＰポートに送信するという操作を実行でき、そのうち、前記ＶＴＥＰ及び前記他のＶＴＥＰが同じ分散型アグリゲーションシステムに属し、  前記第１マッピング関係が前記ＶＴＥＰにおける第１ポートの第１タグ識別子ＩＤと第１ＶＸＬＡＮ  ＩＤとのマッピング関係を示し、前記他のＶＴＥＰの第２ポートの第２タグＩＤが前記第１タグＩＤと異なる。
【００５１】
一例では、前記機械実行可能命令によって、前記プロセッサは、更に、
前記第１アグリゲーションポート及び前記第１ＩＰＰポートに前記第１マッピング関係が設定されていない場合、前記第１アグリゲーションポート及び前記第１ＩＰＰポートに前記第１マッピング関係を設定する。
【００５２】
一例では、前記第１アグリゲーションポート及び前記第１ＩＰＰポートに前記第１マッピング関係を設定するとき、前記機械実行可能命令によって、前記プロセッサは、更に、
前記第１アグリゲーションポートが前記第１タグＩＤ及び／又は前記第１ＶＸＬＡＮ  ＩＤに関連付けられていない場合、
前記第１アグリゲーションポートに前記第１マッピング関係を設定して、
前記第１ＩＰＰポートに前記第１マッピング関係を設定する。
【００５３】
一例では、前記機械実行可能命令によって、前記プロセッサは、更に、
前記他のＶＴＥＰから送信された、前記第２アグリゲーションポート及び前記第２ＩＰＰポートに設定された、前記第２タグＩＤと第２ＶＸＬＡＮ識別子とのマッピング関係を示す第２マッピング関係を受信し、
前記第１アグリゲーションポート及び前記第１ＩＰＰポートに前記第２マッピング関係を設定し、
前記第１ＩＰＰポートに前記第２マッピング関係を設定したことを示す設定成功メッセージを前記他のＶＴＥＰに送信し、
前記第１ＩＰＰポートを介して、前記第２ポートを介して前記他のＶＴＥＰにアクセスしているデバイスのＭＡＣアドレスである第２ＭＡＣアドレスを受信する。
【００５４】
一例では、前記機械実行可能命令によって、前記プロセッサは、更に、
前記第２ＭＡＣアドレスの転送エントリを生成し、前記転送エントリには前記第２ポートを介して前記第２ＶＴＥＰにアクセスしているデバイスのＭＡＣアドレス、タグＩＤ、ＶＸＬＡＮ  ＩＤ及びエグレスポートの対応関係が記録され、前記エグレスポートが前記タグＩＤと前記ＶＬＡＮ  ＩＤとのマッピング関係を設定したポートであり、
前記第２ＭＡＣアドレスの転送エントリをクエリすることにより前記エグレスポートを前記第１ＩＰＰポートとして決定し、
前記第１ＩＰＰポートを介して、宛先ＭＡＣアドレスが前記第２ＭＡＣアドレスであるデータメッセージを前記他のＶＴＥＰに送信する。
【００５５】
図６は本開示の例示的な実施例におけるＭＡＣアドレス同期装置のブロック図であり、該装置は第１ＶＴＥＰに適用されてもよく、該装置は通知ユニット６１、メッセージ受信ユニット６２及びアドレス送信ユニット６３を備える。
【００５６】
通知ユニット６１は、第１ＶＴＥＰの第１アグリゲーションポート及び第１インターネット印刷プロトコルＩＰＰポートに設定された第１マッピング関係を同じ分散型アグリゲーションシステムにおける第２ＶＴＥＰに通知することによって、第２ＶＴＥＰが第２ＶＥＴＰの第２アグリゲーションポート及び第２ＩＰＰポートに第１マッピング関係を設定することに用いられ、第１ＶＴＥＰ及び第２ＶＴＥＰが同じ分散型アグリゲーションシステムに属し、第１マッピング関係が第１ＶＴＥＰにおける第１ポートの第１タグ識別子ＩＤと第１ＶＸＬＡＮ  ＩＤとのマッピング関係を示し、第２ＶＴＥＰの第２ポートの第２タグＩＤが第１タグＩＤと異なる。
【００５７】
メッセージ受信ユニット６２は、第２ＶＴＥＰが第２ＩＰＰポートに通知ユニット６１の通知した第１マッピング関係を設定してから返した設定成功メッセージを受信することに用いられる。
【００５８】
アドレス送信ユニット６３は、メッセージ受信ユニット６２が設定成功メッセージを受信した後、第１ＩＰＰポートを介して、第１ポートを介して第１ＶＴＥＰにアクセスしているデバイスのＭＡＣアドレスである第１ＭＡＣアドレスを第２ＩＰＰポートに送信することに用いられる。
【００５９】
一実現方式では、該装置は更に第１設定ユニット６０を備えてもよい。
【００６０】
第１設定ユニット６０は、通知ユニット６１が第１ＶＴＥＰの第１アグリゲーションポート及び第１ＩＰＰポートに設定された第１マッピング関係を同じ分散型アグリゲーションシステムにおける第２ＶＴＥＰに通知する前に、第１アグリゲーションポート及び第１ＩＰＰポートに第１マッピング関係が設定されていない場合、第１アグリゲーションポート及び第１ＩＰＰポートに第１マッピング関係を設定することに用いられる。
【００６１】
他の実現方式では、第１設定ユニット６０は、具体的に、第１アグリゲーションポートが第１タグＩＤ及び／又は第１ＶＸＬＡＮ識別子に関連付けられていない場合、第１アグリゲーションポートに第１マッピング関係を設定して、第１ＩＰＰポートに第１マッピング関係を設定することに用いられてもよい。
【００６２】
他の実現方式では、図７に示すように、図６に示される実施例によれば、該装置は更にマッピング関係受信ユニット７１、第２設定ユニット７２、メッセージ送信ユニット７３及びアドレス受信ユニット７４を備えてもよい。
【００６３】
マッピング関係受信ユニット７１は、第２ＶＴＥＰから送信された、第２アグリゲーションポート及び第２ＩＰＰポートに設定された、第２タグＩＤと第２ＶＸＬＡＮ識別子とのマッピング関係を示す第２マッピング関係を受信することに用いられる。
【００６４】
第２設定ユニット７２は、第１アグリゲーションポート及び第１ＩＰＰポートにマッピング関係受信ユニット７１の受信した第２マッピング関係を設定することに用いられる。
【００６５】
メッセージ送信ユニット７３は、第２設定ユニット７２が第１ＩＰＰポートに第２マッピング関係を設定した場合、第２ＶＴＥＰへ設定成功メッセージを送信することに用いられる。
【００６６】
アドレス受信ユニット７４は、メッセージ送信ユニット７３が設定成功メッセージを送信した後、第１ＩＰＰポートを介して、第２ポートを介して第２ＶＴＥＰにアクセスしているデバイスのＭＡＣアドレスである第２ＭＡＣアドレスを受信することに用いられる。
【００６７】
他の実現方式では、図８に示すように、図７に示される実施例によれば、該装置は更に生成ユニット８１及びメッセージ送信ユニット８２を備えてもよい。
【００６８】
生成ユニット８１は、第２ＭＡＣアドレスの転送エントリを生成することに用いられ、転送エントリには前記第２ポートを介して前記第２ＶＴＥＰにアクセスしているデバイスのＭＡＣアドレス、タグＩＤ、ＶＸＬＡＮ  ＩＤ及びエグレスポートの対応関係が記録され、前記エグレスポートが前記タグＩＤと前記ＶＬＡＮ  ＩＤとのマッピング関係を設定したポートである。ここで、エグレスポートが第１ＩＰＰポートである。
【００６９】
メッセージ送信ユニット８２は、生成ユニット８１により生成された転送エントリにおける第１ＩＰＰポートを介して、宛先ＭＡＣアドレスが第２ＭＡＣアドレスであるデータメッセージを第２ＶＴＥＰに送信することに用いられる。
【００７０】
上記装置における各ユニットの機能及び作用の実現過程は具体的に上記方法における対応ステップの実現過程を参照してもよく、ここで詳細な説明は省略する。
【００７１】
装置実施例は基本的に方法実施例に対応するため、関連箇所は方法実施例の説明の一部を参照すればよい。以上に説明される装置実施例は模式的なものに過ぎず、分離部材として説明されるユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のモジュールを選択して本開示案の目的を実現してもよい。当業者が創造的な労力を要することなく、理解し実施できる。
【００７２】
上記ＭＡＣアドレス同期装置において、第１ＶＴＥＰの第１アグリゲーションポート及び第１インターネット印刷プロトコルＩＰＰポートに設定された第１ポートの第１タグＩＤと第１ＶＸＬＡＮ識別子との第１マッピング関係を同じ分散型アグリゲーションシステムにおける第２ＶＴＥＰに通知することにより、第２ＶＴＥＰは第２ＶＥＴＰの第２アグリゲーションポート及び第２ＩＰＰポートに第１マッピング関係を設定し、つまり、第１ＩＰＰポート及び第２ＩＰＰポートに同じマッピング関係を設定することができ、次に第１ＩＰＰポートを介して、第１ポートを介して第１ＶＴＥＰにアクセスしているデバイスのアドレスである第１ＭＡＣアドレスを第２ＩＰＰポートに送信することができ、それにより第１ＶＴＥＰと第２ＶＴＥＰとのＭＡＣアドレス同期を実現し、第１ＶＴＥＰは第２ＶＴＥＰが第２アグリゲーションポート及び第２ＩＰＰポートに第２タグＩＤと第２ＶＸＬＡＮ識別子との第２マッピング関係を設定してから送信した第２マッピング関係を受信して、第１アグリゲーションポート及び第１ＩＰＰポートに該第２マッピング関係を設定し、次に第２マッピング関係を設定した第１ＩＰＰポートを介して、第２ポートを介して第２ＶＴＥＰにアクセスしているデバイスのＭＡＣアドレスである第２ＭＡＣアドレスを受信し、それにより第２ＶＴＥＰと第１ＶＴＥＰとのＭＡＣアドレス同期を実現する。
【００７３】
以上は本開示の実施例に係る方法及び装置を詳しく説明したが、本明細書では具体例を用いて本開示の原理及び実施形態を説明し、以上の実施例の説明は本開示の方法及びその核心思想を理解するためのものであり、同時に、当業者が本開示の思想に基づき、具体的な実施形態及び応用範囲を変更することができ、要するに、本明細書の内容が本開示を制限するためのものであると理解すべきではない。
【図１】
0006887523.tif 000002
【図２】
0006887523.tif 000003
【図３】
0006887523.tif 000004
【図４】
0006887523.tif 000005
【図５】
0006887523.tif 000006
【図６】
0006887523.tif 000007
【図７】
0006887523.tif 000008
【図８】
0006887523.tif 000009